【手続補正書】
【提出日】平成28年5月31日(2016.5.31)
【手続補正１】
【補正対象書類名】特許請求の範囲
【補正対象項目名】全文
【補正方法】変更
【補正の内容】
【特許請求の範囲】
【請求項１】
遊技者の操作によって遊技媒体が打ち込まれる遊技領域と、
前記遊技領域に設けられ、可動部材により遊技媒体の入賞が容易な状態と入賞が困難な状態とに切り替えられる特図始動口と、
前記遊技領域に設けられ、遊技媒体が通過または受け入れられる普図始動口と、
前記普図始動口への遊技媒体の通過または受け入れにもとづいて普図抽選を行うとともに、一の普図抽選の結果が特定の結果であるときに前記特図始動口への遊技媒体の入賞が容易な状態へと切り替える特図始動口開放制御手段と、
前記特図始動口への遊技媒体の入賞にもとづいて特図抽選を行う特図抽選手段と、
前記特図抽選手段による一の特図抽選の結果にもとづいて所定の変動時間にわたって変動表示される変動表示手段と、
前記一の特図抽選の結果にもとづく変動表示を所定の上限数まで保留可能な変動表示保留手段と、
前記変動表示保留手段における変動表示の保留数を判定する保留状態判定手段と、
前記所定の変動時間として第一の時間を設定する第一変動時間設定手段と、
前記所定の変動時間として前記第一の時間よりも長い第二の時間を設定する第二変動時間設定手段と、
前記第一変動時間設定手段または前記第二変動時間設定手段により設定された変動時間にわたって前記変動表示手段において変動表示しうる変動表示制御手段と、
を備え、
前記変動表示制御手段は、
前記変動表示手段において変動表示するに際して前記変動表示保留手段に所定数以上の変動表示が保留されている状態のもとでは前記第一の時間と前記変動表示保留手段により保留可能な前記上限数とを乗算した合計変動時間が、前記一の普図抽選の結果が特定の結果であることにもとづいて前記特図始動口への遊技媒体の入賞が容易な状態とされている合計時間よりも短くなるように変動表示する高速変動表示実行手段、及び
前記変動表示手段において変動表示するに際して前記変動表示保留手段に所定数以上の変動表示が保留されていない状態のもとでは前記第二の時間と前記変動表示保留手段により保留可能な前記上限数とを乗算した合計変動時間が、前記一の普図抽選の結果が特定の結果であることにもとづいて前記特図始動口への遊技媒体の入賞が容易な状態とされている合計時間よりも長くなるように変動表示する通常変動表示実行手段を有する
ことを特徴とする遊技機。
【請求項２】
前記特図抽選手段は、
乱数を取得し、該取得した乱数を用いて前記特図抽選を行うものである
請求項１に記載の遊技機。
【請求項３】
所定の音響演出が行われるスピーカ装置をさらに備える
請求項１または２に記載の遊技機。
【手続補正２】
【補正対象書類名】明細書
【補正対象項目名】０００８
【補正方法】変更
【補正の内容】
【０００８】
請求項１に記載の遊技機は、遊技者の操作によって遊技媒体が打ち込まれる遊技領域と、前記遊技領域に設けられ、可動部材により遊技媒体の入賞が容易な状態と入賞が困難な状態とに切り替えられる特図始動口と、前記遊技領域に設けられ、遊技媒体が通過または受け入れられる普図始動口と、前記普図始動口への遊技媒体の通過または受け入れにもとづいて普図抽選を行うとともに、一の普図抽選の結果が特定の結果であるときに前記特図始動口への遊技媒体の入賞が容易な状態へと切り替える特図始動口開放制御手段と、前記特図始動口への遊技媒体の入賞にもとづいて特図抽選を行う特図抽選手段と、前記特図抽選手段による一の特図抽選の結果にもとづいて所定の変動時間にわたって変動表示される変動表示手段と、前記一の特図抽選の結果にもとづく変動表示を所定の上限数まで保留可能な変動表示保留手段と、前記変動表示保留手段における変動表示の保留数を判定する保留状態判定手段と、前記所定の変動時間として第一の時間を設定する第一変動時間設定手段と、前記所定の変動時間として前記第一の時間よりも長い第二の時間を設定する第二変動時間設定手段と、前記第一変動時間設定手段または前記第二変動時間設定手段により設定された変動時間にわたって前記変動表示手段において変動表示しうる変動表示制御手段と、を備え、前記変動表示制御手段は、前記変動表示手段において変動表示するに際して前記変動表示保留手段に所定数以上の変動表示が保留されている状態のもとでは前記第一の時間と前記変動表示保留手段により保留可能な前記上限数とを乗算した合計変動時間が、前記一の普図抽選の結果が特定の結果であることにもとづいて前記特図始動口への遊技媒体の入賞が容易な状態とされている合計時間よりも短くなるように変動表示する高速変動表示実行手段、及び前記変動表示手段において変動表示するに際して前記変動表示保留手段に所定数以上の変動表示が保留されていない状態のもとでは前記第二の時間と前記変動表示保留手段により保留可能な前記上限数とを乗算した合計変動時間が、前記一の普図抽選の結果が特定の結果であることにもとづいて前記特図始動口への遊技媒体の入賞が容易な状態とされている合計時間よりも長くなるように変動表示する通常変動表示実行手段を有するようにしたものである。
請求項２に記載の遊技機は、請求項１に記載の遊技機において、前記特図抽選手段は、乱数を取得し、該取得した乱数を用いて前記特図抽選を行うようにしたものである。
請求項３に記載の遊技機は、請求項１または２に記載の遊技機において、所定の音響演出が行われるスピーカ装置をさらに備えるようにしたものである。
【手続補正３】
【補正対象書類名】明細書
【補正対象項目名】０００９
【補正方法】削除
【補正の内容】
【手続補正４】
【補正対象書類名】明細書
【補正対象項目名】０９４３
【補正方法】変更
【補正の内容】
【０９４３】
また、上記実施形態では、遊技機としてパチンコ機１に適用したものを示したが、これに限定するものではなく、パチスロ機や、パチンコ機とパチスロ機とを融合させてなる遊技機に、適用しても良く、この場合でも、上記と同様の作用効果を奏することができる。
例えば、手段１に記載の発明では、以下の構成を備えている。
手段１：通常遊技状態よりも遊技者に有利な有利遊技状態に制御されうる遊技機であって、所定の演出表示が行われる演出表示手段と、遊技球の発射強度を調整しうる発射調整手段と、前記発射調整手段による発射強度の調整によって遊技球が打ち分け可能とされる第１の遊技領域及び第２の遊技領域と、前記演出表示手段よりも下方側にて設けられ、前記第１の遊技領域に打ち分けられた遊技球が入賞可能とされる第１の始動口と、前記演出表示手段の横側にて設けられ、前記第２の遊技領域に打ち分けられた遊技球が通過可能なゲート部材、および、可動部材により入賞が容易な状態と入賞が困難な状態とに切り替えられる第２の始動口と、前記通常遊技状態においては、前記第１の遊技領域に打ち分けられた遊技球の多くが最下部にあるアウト口から排出されるなかで前記第１の始動口への入賞を狙う通常遊技が提供されるように、前記第１の始動口よりも前記第２の始動口に遊技球が入賞され難くする制御を行う通常遊技制御手段と、前記有利遊技状態においては、前記第２の遊技領域に打ち分けられた遊技球の多くが前記演出表示手段の下方まで到達せずに前記演出表示手段の横側で消失されるように、前記ゲート部材を通過した遊技球を、該通過に応じた前記可動部材の動作によって入賞容易とされた前記第２の始動口にそのまま入賞させる制御を行う有利遊技制御手段と、前記第１の始動口と前記第２の始動口とのいずれかへの遊技球の入賞に基づいて抽選を行う抽選手段と、前記演出表示手段よりも下方側にて設けられ、前記抽選手段による抽選にて大当りが当選されたことに基づいて遊技球の受け入れが許容される開放動作を実行しうる大入賞手段とを備えることを特徴とする遊技機。
このような構成によれば、有利遊技状態においては、第２の始動口への入賞が適正になされている限りは、前記演出表示手段の横側にて多くの遊技球が忽然と消失されるようになる。したがって、演出表示手段から第２の始動口へと直接注視を移さなくとも、演出表示手段の下方領域に多くの遊技球があるか否かの雰囲気を感じ取るだけで、第２の始動口での入賞状況などを簡単に把握することができるようになり、これによって演出表示手段での図柄表示に集中させて有利な遊技を楽しませることができるようになる。